(57)【要約】【課題】撮影後の選別作業が容易になるように写真画像を表示する。【解決手段】半導体集積回路（１０）は、撮影された静止画像のうち同一シーンに係る静止画像を検出する同一シーン検出部（１１）と、検出された静止画像の相互間で写りが異なる領域を検出する差異領域検出部（１２）と、検出された領域を強調する表示制御を行う制御部（１３）とを備えている。【選択図】図１
2011049930.tif 000002
【特許請求の範囲】
【請求項１】
撮影された静止画像の表示制御をする半導体集積回路であって、
前記撮影された静止画像のうち同一シーンに係る静止画像を検出する同一シーン検出部と、
前記検出された静止画像の相互間で写りが異なる領域を検出する差異領域検出部と、
前記検出された領域を強調する表示制御を行う制御部とを備えている
ことを特徴とする半導体集積回路。
【請求項２】
請求項１の半導体集積回路において、
前記検出された静止画像を写りが似通っているものどうしでグループ化し、各グループから代表画像を選定するグループ構成部を備え、
前記差異領域検出部は、前記代表画像の相互間で写りが異なる領域を検出する
ことを特徴とする半導体集積回路。
【請求項３】
請求項２の半導体集積回路において、
前記差異領域検出部は、前記代表画像のうちいずれか２枚の代表画像の被写体の位置合わせ処理をしてから、前記２枚の代表画像どうしで対応する所定の画像領域に係る画素値差分を累計し、当該累計値が所定値よりも大きい場合に前記所定の画像領域を写り異なる領域として検出する
ことを特徴とする半導体集積回路。
【請求項４】
請求項２の半導体集積回路において、
前記グループ構成部は、前記同一シーン検出部で検出された静止画像のうちいずれか２枚の静止画像の被写体の位置合わせ処理をしてから、前記２枚の静止画像どうしで対応する所定の画像領域に係る画素値差分を累計し、当該差分値が所定値よりも小さい場合に前記２枚の静止画像の写りが似通っていると判断する
ことを特徴とする半導体集積回路。
【請求項５】
請求項２の半導体集積回路において、
前記グループ構成部は、各グループ内の静止画像のそれぞれについて空間周波数分析を行い、高周波成分を多く含む静止画像を代表画像として選定する
ことを特徴とする半導体集積回路。
【請求項６】
請求項２の半導体集積回路において、
前記制御部は、選択されたグループ内の静止画像を並べて表示する制御を行う
ことを特徴とする半導体集積回路。
【請求項７】
請求項１の半導体集積回路において、
前記同一シーン検出部は、撮影間隔が所定時間よりも小さい静止画像を同一シーンに属すると判断する
ことを特徴とする半導体集積回路。
【請求項８】
請求項１の半導体集積回路において、
前記同一シーン検出部は、前記撮影された静止画像のうちいずれか２枚の静止画像の被写体の位置合わせ処理をしてから、前記２枚の静止画像どうしで対応する画素の画素値差分を累計し、当該累計値が所定値よりも小さい場合に前記２枚の静止画像を同一シーンに属すると判断する
ことを特徴とする半導体集積回路。
【請求項９】
請求項１の半導体集積回路において、
前記差異領域検出部は、前記同一シーン検出部で検出された静止画像のうちいずれか２枚の静止画像の被写体の位置合わせ処理をしてから、前記２枚の静止画像どうしで対応する所定の画像領域に係る画素値差分を累計し、当該累計値が所定値よりも大きい場合に前記所定の画像領域を写りが異なる領域として検出する
ことを特徴とする半導体集積回路。
【請求項１０】
請求項１の半導体集積回路において、
前記制御部は、写りが異なる領域を拡大する表示制御を行う
ことを特徴とする半導体集積回路。
【請求項１１】
撮影された静止画像の表示制御をする半導体集積回路であって、
前記撮影された静止画像のうち同一シーンに係る静止画像を検出する同一シーン検出部と、
前記検出された静止画像を写りが似通っているものどうしでグループ化し、各グループから代表画像を選定するグループ構成部と、
前記代表画像の表示制御を行う制御部とを備えている
ことを特徴とする半導体集積回路。
【請求項１２】
請求項１１の半導体集積回路において、
前記同一シーン検出部は、撮影間隔が所定時間よりも小さい静止画像を同一シーンに属すると判断する
ことを特徴とする半導体集積回路。
【請求項１３】
請求項１１の半導体集積回路において、
前記同一シーン検出部は、前記撮影された静止画像のうちいずれか２枚の静止画像の被写体の位置合わせ処理をしてから、前記２枚の静止画像どうしで対応する画素の画素値差分を累計し、当該累計値が所定値よりも小さい場合に前記２枚の静止画像を同一シーンに属すると判断する
ことを特徴とする半導体集積回路。
【請求項１４】
請求項１１の半導体集積回路において、
前記グループ構成部は、前記同一シーン検出部で検出された静止画像のうちいずれか２枚の静止画像の被写体の位置合わせ処理をしてから、前記２枚の静止画像どうしで対応する所定の画像領域に係る画素値差分を累計し、当該差分値が所定値よりも小さい場合に前記２枚の静止画像の写りが似通っていると判断する
ことを特徴とする半導体集積回路。
【請求項１５】
請求項１１の半導体集積回路において、
前記グループ構成部は、各グループ内の静止画像のそれぞれについて空間周波数分析を行い、高周波成分を多く含む静止画像を代表画像として選定する
ことを特徴とする半導体集積回路。
【請求項１６】
請求項１１の半導体集積回路において、
前記制御部は、選択されたグループ内の静止画像を並べて表示する制御を行う
ことを特徴とする半導体集積回路。
【請求項１７】
撮影された静止画像のうち同一シーンに係る静止画像を検出するステップと、
前記検出された静止画像の相互間で写りが異なる領域を検出するステップと、
前記検出された領域を強調して表示するステップとを備えている
ことを特徴する静止画像表示方法。
【請求項１８】
撮影された静止画像のうち同一シーンに係る静止画像を検出するステップと、
前記検出された静止画像を写りが似通っているものどうしでグループ化するステップと、
前記各グループから代表画像を選定するステップと、
前記代表画像を表示するステップとを備えている
ことを特徴する静止画像表示方法。
【発明の詳細な説明】
【技術分野】
【０００１】
本発明は、半導体集積回路に関し、特に、撮影した写真画像を表示制御する技術に関する。
【背景技術】
【０００２】
近年、デジタルスチルカメラ（以降、ＤＳＣと称する）が急速に普及している。ＤＳＣでは、ＳＤ（Secure Digital）メモリカードに代表される書き換え可能な記録カードメディアに写真画像を圧縮して記録する方式が採用されている。これにより、大量に撮影した後に写りの良い写真画像を選択して印刷したり、写りの悪い写真画像を削除したりすることが容易となる。また、記録カードメディアの大容量化、低価格化が急速に進むとともに、信号処理が高速化しているため高速な連写機能の利用が可能となっている。そのため、「大量に撮影して後から選ぶ」という使い方が多くのユーザーによってなされている。
【０００３】
このような使い方によって、シャッターチャンスを待って撮影したり、撮影後に写りを確認し写りの悪い場合にはその写真画像を削除して再度撮影し直すといった手間が不要となる。その半面、連写機能などで撮影した大量の写真画像から写りの良い写真画像を選択して印刷したり、写りの悪い写真画像を選択して削除するといった撮影後の作業が非常に煩雑になってしまう。
【０００４】
そこで、大量の写真画像から同一である可能性が高いものを自動的に絞り込んで検出して、検出された写真画像を一覧表示するようにしている（例えば、特許文献１参照）。
【先行技術文献】
【特許文献】
【０００５】
【特許文献１】特開２００７−１７１６１７号公報
【発明の概要】
【発明が解決しようとする課題】
【０００６】
検出した同一の写真画像の枚数が多くなると、ユーザは写りの良い写真画像を選択するために多くの画像を比較しなければならない。そのため、非常に多くの時間を要することになり、写真画像の選別作業が困難となってしまう。
【０００７】
本発明は、かかる点に鑑みてなされたものであり、撮影後の選別作業が容易になるように写真画像を表示することを課題とする。
【課題を解決するための手段】
【０００８】
上述した課題を解決するため本発明によって次のような解決手段を講じた。すなわち、撮影された静止画像の表示制御をする半導体集積回路として、撮影された静止画像のうち同一シーンに係る静止画像を検出する同一シーン検出部と、検出された静止画像の相互間で写りが異なる領域を検出する差異領域検出部と、検出された領域を強調する表示制御を行う制御部とを備えているものとする。
【０００９】
これによると、撮影された静止画像のうち同一シーンに係る静止画像において写りが異なる領域が強調して表示される。
【００１０】
あるいは、撮影された静止画像の表示制御をする半導体集積回路として、撮影された静止画像のうち同一シーンに係る静止画像を検出する同一シーン検出部と、検出された静止画像を写りが似通っているものどうしでグループ化し、各グループから代表画像を選定するグループ構成部と、代表画像の表示制御を行う制御部とを備えているものとする。
【００１１】
これによると、撮影された静止画像のうち同一シーンに係る静止画像の似通ったものどうしがグループ化されて各グループの代表画像が表示される。すなわち、選別作業のために表示される静止画像の枚数が減少する。
【発明の効果】
【００１２】
本発明によると、ユーザによる撮影後の静止画像の選別作業が容易となる。
【図面の簡単な説明】
【００１３】
【図１】本発明の一実施形態に係る静止画像表示制御装置の構成を示すブロック図である。
【図２】同一シーンに係る静止画像のグループ化の例を示す図である。
【図３】代表画像相互間で写りが異なる領域を強調して表示した例を示す図である。
【図４】写りが異なる領域を拡大して表示した例を示す図である。
【図５】選択されたグループ内の静止画像を表示した例を示す図である。
【図６】代表画像を表示した例を示す図である。
【発明を実施するための形態】
【００１４】
以下、本発明を実施するための形態について、図面を参照しながら説明する。図１は、本発明の一実施形態に係る静止画像表示制御装置の構成を示すブロック図である。記録メディア１は、例えばＳＤメモリカード等である。記録メディア１には、ＤＳＣ等で撮影された複数の画像が記録されている。この記録メディア１の画像は読込部２で読み込まれ、半導体集積回路１０で表示制御されて表示部１９に表示される。
【００１５】
入力部２２には、ユーザの操作が入力される。消去部２３は、ユーザの削除操作を受けた画像を記録メディア１から削除する。なお、消去部２３は、ユーザーが選択した写りの良い画像以外の画像を自動的に削除してもよい。
【００１６】
同一シーン検出部１１は、読込部２で読み込まれた画像のうち例えば０．５秒以下の撮影間隔で連写された画像を同一シーンであると判断して検出する。
【００１７】
グループ構成部１２は、同一シーン検出部１１で検出された画像のうちいずれか２枚の画像間の動きベクトルを検出して２枚の画像の被写体の動き量を算出する。グループ構成部１２は、この動き量に基づいて２枚の画像の被写体の位置を合わせてから、これら２枚の画像をそれぞれ例えば１６×１６画素の領域に分割し、２枚の画像どうしで対応する領域毎に画素値差分を累計する。なお、画素値差分が負値となる場合もあるため、その２乗和あるいは絶対値を累計する。そして、各領域の累計値が所定値よりも小さい場合に、これら２枚の画像を写りが類似する画像と判断してグループ化する。そして、グループ構成部１２は、例えば各グループ内の画像のそれぞれについて空間周波数分析を行い、高周波成分を多く含む画像を代表画像として選定する。
【００１８】
差異領域検出部１３は、代表画像のうちいずれか２枚の画像について、グループ構成部１２と同様に画素値差分を累計する。そして、各領域のうち累計値が所定値よりも大きい領域を写りが異なる領域であると判断して検出する。
【００１９】
制御部１４は、差異領域検出部１３で検出された写りが異なる領域を例えば点線枠で囲む等して表示制御を行う。表示部１９は、制御部１４で表示制御された画像を表示する。
【００２０】
次に、静止画像表示制御装置の動作例を説明する。まず、撮影された複数の画像から図２に示すように、例えば撮影間隔が０．５秒以下のものが１０枚存在する場合には、その１０枚の画像１〜１０が同一シーンとして検出される。画像１〜１０が検出されると、それらのうち画像１〜４がグループ１、画像５〜６がグループ２、画像７〜１０がグループ３としてそれぞれグループ化される。そして、画像１、画像５、画像９がそれぞれグループ１〜３の代表画像として選定される。
【００２１】
その後、図３に示すようにグループ１〜３の代表画像間で相互に写りが異なる領域が検出され、それらの領域がそれぞれ点線枠３０，３１で強調されて表示部１９に表示される。
【００２２】
以上のように、ユーザは表示された画像の点線枠で囲まれた領域を比較することで写りの良し悪しを容易に判断して写りの良い画像を選択することができる。また、同一シーンに係る画像が多くても、グループ化して代表画像を表示することで写りの良し悪しを比較する画像の枚数が減少するため、写りの良い画像を選択する時間を短縮することができる。
【００２３】
なお、同一シーン検出部１１は、読込部２で読み込まれた画像のうちいずれか２枚の画像について、グループ構成部１２と同様に画素値差分を累計し、各領域の累計値が所定値よりも小さい場合に２枚の画像を同一シーンであると判断してもよい。また、同一シーン検出部１１、グループ構成部１２および差異領域検出部１３において、通常は画像の有意な領域は画像の中央に存在しているので、画像の中央の領域について画素値差分を累計してもよい。また、人物の顔検出処理により顔部分を検出し、顔部分の領域の画素値差分を累計してもよい。
【００２４】
また、制御部１４は、ユーザが例えば点線枠３０を選択した場合に、図４に示すように点線枠３０の領域を表示部１９に拡大して表示する制御を行ってもよい。また、制御部１４は、ユーザが例えばグループ１を選択した場合に、図５に示すように選択されたグループ１内の画像１〜４を表示部１９に並べて表示する制御を行ってもよい。
【００２５】
また、グループ構成部１２を省略してもよい。この場合、差異領域検出部１３は、同一シーンに係る画像どうしで写りが異なる領域を検出する。あるいは、差異領域検出部１３を省略してもよい。この場合、各グループの代表画像は、図６に示すように表示される。
【００２６】
また、複数のシーンが存在する場合には、ユーザが入力部２２で選択したシーンに対してグループ構成部１２や差異領域検出部１３で処理するようにすればよい。
【産業上の利用可能性】
【００２７】
本発明に係る半導体集積回路は、同一シーンの画像の選別作業を容易にすることができるため、連写等で大量に同一シーンの画像の撮影が可能なデジタルスチルカメラ等に有用である。
【符号の説明】
【００２８】
１０          半導体集積回路
１１          同一シーン検出部
１２          グループ構成部
１３          差異領域検出部
１４          制御部
【図１】
2011049930.tif 000003
【図２】
2011049930.tif 000004
【図３】
2011049930.tif 000005
【図４】
2011049930.tif 000006
【図５】
2011049930.tif 000007
【図６】
2011049930.tif 000008